(57)【要約】【課題】  自動車の運転免許証の更新時にその運転者が健診を受診したかどうかを確認するための通信設備を提供する。【解決手段】  通信設備は、電気通信回線１，住民の健康を管理する部署のサーバ２，医療機関のデータサーバ３，通信制御装置４，端末装置５及び出力装置６から構成されていて、前記通信制御装置４は、前記電気通信回線１を通じて前記データサーバ３から住民の受診データを受信し記憶する手段と、前記サーバ２にアクセスする手段と、運転免許証の更新をするために運転免許センターに訪れた運転者の健診の有無をこのサーバ２から確認する手段と、その有無を表示及び／又は印字する手段とを特徴とする。【選択図】  図１
0003158656.tif 000002
【実用新案登録請求の範囲】
【請求項１】
自動車の運転免許証の更新時にその運転者が健診を受診したかどうかを確認するための通信設備において、
前記通信設備は、電気通信回線（１），住民の健康を管理する部署のサーバ（２），医療機関のデータサーバ（３），通信制御装置（４），端末装置（５）及び出力装置（６）から構成されていて、前記通信制御装置（４）は、前記電気通信回線（１）を通じて前記データサーバ（３）から住民の受診データを受信し記憶する手段と、前記サーバ（２）にアクセスする手段と、運転免許証の更新をするために運転免許センターに訪れた運転者の健診の有無をこのサーバ（２）から確認する手段と、その有無を表示及び／又は印字する手段とを特徴とする通信設備。
【請求項２】
前記端末装置（５）は、制御装置（７）、健診に関するデータが記憶されているデータベース（８）及び運転者の健診の受診の有無を確認する照合装置（９）がそれぞれ、データバス（１０）を介して前記電気通信回線（１）に接続されていて、前記制御装置（７）は、前記データベース（８）及び前記照合装置（９）の動作を制御することを特徴とする請求項１に記載の通信設備。
【請求項３】
前記照合装置（９）は、運転者が健診を受診したかどうかを、前記端末装置（５）を通じて前記サーバ（２）にアクセスすることによって確認する手段を有し（Ｓ０）、その運転者が受診していることを前記照合装置（９）によって確認した場合（ａ）、当該データが前記データベース（８）に記憶されるとともに（Ｓ１）、所定の検査の手続き後に、「健診有」の旨が、前記出力装置（６）によってその運転者の免許証に印字される（Ｓ２）ことを特徴とする請求項１又は２に記載の通信設備。
【請求項４】
前記照合装置（９）は、運転者が健診を受診したかどうかを、前記端末装置（５）を通じて前記サーバ（２）にアクセスすることによって確認する手段を有し（Ｓ０）、その運転者が受診していないことを前記照合装置（９）によって確認した場合（ｂ）、当該データが前記データベース（８）に記憶されるとともに（Ｓ３）、所定の検査の手続き後に、「健診無」の旨が、前記出力装置（６）によってその運転者の免許証に印字される（Ｓ４）ことを特徴とする請求項１又は２に記載の通信設備。  
【請求項５】
前記端末装置（５）は、運転者の健診データにアクセスできることを特徴とする請求項１〜４のいずれか１項に記載の通信設備。
【請求項６】
前記健診データは、運転者向け専用の検査項目に対応する健診データであり、前記端末装置（５）から当該健診データを入手できることを特徴とする請求項５に記載の通信設備。
【考案の詳細な説明】
【技術分野】
【０００１】
本考案は、自動車の運転免許証の更新時にその運転者が健診（健康診査、例えば特定健康診査）を受診したかどうかを確認するための通信設備に関する。
【背景技術】
【０００２】
我が国の自動車運転免許証の保有者は、平成２０年の時点で８０００万人以上に及び、６５歳以上の高齢者の当該保有者にあっては１２００万人近くに達し、その人数は今後増加することが予想される。現在、運転者の運転中の交通事故を回避するため、運転免許証の更新時において視力及び聴力の検査だけが運転者に対して実施されている。さらに７５歳以上の運転者にあっては認知機能検査（認知証の有無の確認）を含む講習予備検査が義務付けされている。
【０００３】
しかし、このような視力及び聴力の検査並びに認知機能の検査だけでは、運転者の疾病（心臓病、脳卒中、糖尿病が原因の失明その他の視力障害、等）に起因した運転中の交通事故（正面衝突、追突、高速道路の逆走等）を未然に防ぐことは不十分である。
【考案の概要】
【考案が解決しようとする課題】
【０００４】
本考案の課題は、車社会・高齢者社会の中にあって、上述した問題点を回避するため自動車の運転免許証の更新時にその運転者が健診を受診したかどうかを確認するための通信設備を提供することにある。
【課題を解決するための手段】
【０００５】
この課題は、通信設備が電気通信回線１，住民の健康を管理する部署のサーバ２，医療機関のデータサーバ３，通信制御装置４，端末装置５及び出力装置６から構成されていて、前記通信制御装置４は、前記電気通信回線１を通じて前記データサーバ３から住民の受診データを受信し記憶する手段と、前記サーバ２にアクセスする手段と、運転免許証の更新をするために運転免許センターに訪れた運転者の健診の有無をこのサーバ２から確認する手段と、その有無を表示及び／又は印字する手段とによって解決される。
【考案の効果】
【０００６】
本考案の通信設備は、以下の有利な効果を奏する：
健診の受診の有無が運転免許証に掲載されるので、その運転者が健診を受けようとするインセンティブとなって、運転中の運転者の疾病に起因した死亡等の交通事故を未然に防ぐ可能性が上昇し、ひいては一次予防が促進され、国全体の医療費を抑制することができる。すなわち、我が国の政府が目標としている国民の健診の受診率の向上、病気の早期発見、医療費の抑制・適正化を実現するための一役を担うことができる。結果、保険料も低減されることになる。
【図面の簡単な説明】
【０００７】
【図１】本考案の一実施の形態である通信設備の構成図である。
【図２】固定端末装置の構成を表すブロック図である。
【図３】本考案の通信設備を使用する時の作業の流れを表したフローチャートである。
【考案を実施するための最良の形態】
【０００８】
以下に、本考案の実施の形態の一例を図面に基づいて詳しく説明する。
【０００９】
図１は、自動車の運転免許証の更新時にその運転者が健診（健康診査、例えば特定健康診査）を受診したかどうかを確認するための通信設備の一例を示す。
【００１０】
この通信設備は、衛星回線、無線回線等を含む主にインターネットのような電気通信回線１，例えば市町村の健康管理課のような住民の健康を管理する部署のサーバ２，医療機関のデータサーバ３，例えば通信モデムのような通信制御装置４，例えばパーソナルコンピュータのような端末装置５及び例えばモニターやプリンタのような出力装置６から構成されている。サーバ２は、電気通信回線１を通じてデータサーバ３から住民の受診データを受信し記憶することができる。国内の各所に存在し、運転免許証の更新の手続きを行う運転免許センターが、端末装置５を管理している。この端末装置５は、サーバ２にアクセスして、運転免許証の更新をするために運転免許センターに訪れた運転者の健診の有無をこのサーバ２から確認することができる。また、当該運転者から許可を受けている場合は、その運転者の健診データ（血糖値、血圧値その他の測定値）も受信できるように端末装置５にそのアクセス権を付与した通信設備にしてもよい。また、当該健診データとしては、運転者向け専用の検査項目を別途定めておき、端末装置５からその検査項目に対応する健診データを受信してもよい。この端末装置５は、キーボード、マウス、モニター及びプリンタを備えている。この端末装置（パーソナルコンピュータ）は、デスクトップ式でもよく、ラップトップ式でもよい。
【００１１】
図２は、本考案の通信設備で使用される端末装置５の構成を表すブロック図の一例を示す。制御装置７（例えば、ＣＰＵ）、健診に関するデータが記憶されているデータベース８及び運転者の健診の受診の有無を確認する照合装置９がそれぞれ、データバス１０を介して電気通信回線１に接続されている。
【００１２】
制御装置７は、データベース８及び照合装置９の動作を制御する。データベース８は、サーバ２から送られてきた該当する運転者の健診の受診の有無に関するデータや運転者の許可を得ている場合は詳しいその健診データを記憶する。照合装置９は、データベース８の当該データに基づいて該当する運転者の健診の受診の有無を確認する。
【００１３】
次いで、本考案の通信設備を使用する時に当該受診の有無がモニターに表示され及び／又はプリンタで印字される作業の流れを図３に基づいて説明する。
１．運転者が健診を受診している場合（流れａ）
運転免許証の更新のため運転免許センターを訪れた運転者が健診を受診したかどうかを、当該運転免許センターの職員が、端末装置５を操作してサーバ２にアクセスし、その受診の有無を確認する（Ｓ０）。その運転者が受診していることを照合装置９によって確認した場合（ａ）、当該データがデータベース８に記憶され（Ｓ１）、上述した視力等の所定の検査等の手続き後に、「健診有」の旨が、出力装置６によってその運転者の免許証に印字される（Ｓ２）。
２．運転者が健診を受診していない場合（流れｂ）
運転免許証の更新のため運転免許センターを訪れた運転者が健診を受診したかどうかを、当該運転免許センターの職員が、端末装置５を操作してサーバ２にアクセスし、その受診の有無を確認する（Ｓ０）。その運転者が受診していないことを照合装置９によって確認した場合（ｂ）、当該データがデータベース８に記憶され（Ｓ３）、上述した視力等の所定の検査等の手続き後に、「健診無」の旨が、出力装置６によってその運転者の免許証に印字される（Ｓ４）。
【００１４】
なお、健診の受診の有無の基準は、任意に決めることができ、その基準を照合装置９にセットすることができる。その基準として、例えば１年以内に受診したかどうかを基準にしてもよい。
【産業上の利用可能性】
【００１５】
本考案は、自動車運転免許証の交付以外に、自動二輪車運転免許証その他車両の運転免許証の交付にも応用でき、さらには当事者の健康に影響される資格・免許の交付に対しても利用できる。
【符号の説明】
【００１６】
１      電気通信回線（インターネット）
２      住民の健康を管理する部署のサーバ
３      医療機関のデータサーバ
４      通信制御装置（通信モデム）
５      端末装置（パーソナルコンピュータ）
６      出力装置
７      制御装置
８      データベース
９      照合装置
１０    データバス
Ｓ０〜Ｓ４  ステップ０〜ステップ４
a  運転者が健診を受診している場合の処理の流れ方向
b  運転者が健診を受診していない場合の処理の流れ方向
【図１】
0003158656.tif 000003
【図２】
0003158656.tif 000004
【図３】
0003158656.tif 000005
【手続補正書】
【提出日】平成22年2月5日(2010.2.5)
【手続補正１】
【補正対象書類名】実用新案登録請求の範囲
【補正対象項目名】全文
【補正方法】変更
【補正の内容】
【実用新案登録請求の範囲】
【請求項１】
自動車の運転免許証の更新時にその運転者が健診を受診したかどうかを確認するための通信設備において、
前記通信設備は、電気通信回線（１），住民の健康を管理する部署のサーバ（２），医療機関のデータサーバ（３），通信制御装置（４），端末装置（５）及び出力装置（６）から構成されていて、前記通信制御装置（４）は、前記電気通信回線（１）を通じて前記データサーバ（３）から住民の受診データを受信し記憶する手段と、前記サーバ（２）にアクセスする手段と、運転免許証の更新をするために運転免許センターに訪れた運転者の健診の有無をこのサーバ（２）から確認する手段と、その有無を表示及び／又は印字する手段とを特徴とする通信設備。
【請求項２】
前記端末装置（５）は、制御装置（７）、健診に関するデータが記憶されているデータベース（８）及び運転者の健診の受診の有無を確認する照合装置（９）がそれぞれ、データバス（１０）を介して前記電気通信回線（１）に接続されていて、前記制御装置（７）は、前記データベース（８）及び前記照合装置（９）の動作を制御することを特徴とする請求項１に記載の通信設備。
【請求項３】
前記照合装置（９）は、運転者が健診を受診したかどうかを、前記端末装置（５）を通じて前記サーバ（２）にアクセスすることによって確認する手段を有し（Ｓ０）、その運転者が受診していることを前記照合装置（９）によって確認した場合（ａ）、当該データが前記データベース（８）に記憶されるとともに（Ｓ１）、所定の検査の手続き後に、「健診有」の旨が、前記出力装置（６）によってその運転者の免許証に印字される（Ｓ２）ことを特徴とする請求項２に記載の通信設備。
【請求項４】
前記照合装置（９）は、運転者が健診を受診したかどうかを、前記端末装置（５）を通じて前記サーバ（２）にアクセスすることによって確認する手段を有し（Ｓ０）、その運転者が受診していないことを前記照合装置（９）によって確認した場合（ｂ）、当該データが前記データベース（８）に記憶されるとともに（Ｓ３）、所定の検査の手続き後に、「健診無」の旨が、前記出力装置（６）によってその運転者の免許証に印字される（Ｓ４）ことを特徴とする請求項２に記載の通信設備。  
【請求項５】
前記端末装置（５）は、運転者の健診データにアクセスできることを特徴とする請求項１〜４のいずれか１項に記載の通信設備。
【請求項６】
前記健診データは、運転者向け専用の検査項目に対応する健診データであり、前記端末装置（５）から当該健診データを入手できることを特徴とする請求項５に記載の通信設備。